(57)【特許請求の範囲】
【請求項１】
被取付部材に取り付けられるベースコネクタと、前記ベースコネクタに装着された第１コンタクトと接続される第２コンタクトと、を有するコネクタであって、
前記ベースコネクタは、前記第２コンタクトに接触される第１接触部を有する前記第１コンタクトと、前記第１コンタクトが装着されたハウジングと、前記ハウジングの前記被取付部材に取り付けられる側の反対側に前記第２コンタクトの抜き差し方向に移動できるように設けられた移動部材とを有し、
前記第１コンタクトの前記第１接触部には第１係止部が形成され、
前記第２コンタクトには第２係止部、および前記移動部材の移動により押圧されて移動される前記第２係止部が形成された可動片が形成され、
前記ベースコネクタに前記第２コンタクトが接続された場合、前記第１係止部と前記第２係止部が係止され、
前記第２コンタクトを前記ベースコネクタから取り外す場合、前記移動部材を移動させると、前記移動部材に押圧されることで前記可動片が移動され、前記可動片の移動により前記第２係止部が移動され、前記第１係止部と前記第２係止部との係止が解除されることを特徴とするコネクタ。
【請求項２】
前記ハウジングの内部には、前記第２コンタクトが収容できる収容空間が形成され、
前記ハウジングの前記移動部材が設けられる側には、前記ベースコネクタに前記第２コンタクトが接続された場合に、少なくとも前記第２コンタクトの前記可動片の前記移動部材に押圧される部分が配置できるように開口され、前記収容空間と繋がる上面開口部が形成されており、
前記移動部材が移動されることで、前記上面開口部に配置された前記可動片が押圧されることを特徴とする請求項１に記載のコネクタ。
【請求項３】
前記上面開口部は、少なくとも前記可動片が配置できるように前記移動部材により塞がれており、
前記移動部材は、前記ハウジング側に段部を有しており、
前記移動部材が移動した場合、前記段部により前記可動片を押圧することを特徴とする請求項２に記載のコネクタ。
【請求項４】
前記移動部材は、一方に薄肉部と、他方に厚肉部を有する板状体で形成されており、
前記薄肉部と前記厚肉部との境が前記段部となっていることを特徴とする請求項３に記載のコネクタ。
【請求項５】
前記ハウジングの前記移動部材が設けられる側には、前記移動部材が移動可能に設けられるスライド部を有し、
前記スライド部は、前記ハウジングの内側に向かって窪ませて形成されていることを特徴とする請求項１〜４のいずれかに記載のコネクタ。
【請求項６】
前記第２コンタクトは、一方に前記第１コンタクトが挿入される挿入口を有し、
前記可動片は、
前記第２コンタクトが前記ベースコネクタに接続された場合に、前記挿入口側から前記挿入口の反対側に向かって前記第１コンタクトの第１接触部の先端側が配置された位置を越える位置まで延設され、前記第２係止部が形成された延設部と、
前記延設部の前記挿入口と反対側の端部から前記移動部材が配置される側に向かって設けられた立設部と、を有し、
前記立設部の端部が前記移動部材に押圧されることを特徴とする請求項１〜５のいずれかに記載のコネクタ。
【請求項７】
前記第２コンタクトは、前記挿入口が設けられた筒状体で形成された端子部を有し、
前記端子部の内側に、前記第１接触部と接触される第２接触部が形成され、
前記第２接触部は、前記筒状体の上側と下側にそれぞれ上側接触部と下側接触部とを有し、
前記下側接触部の中央部分に、前記可動片が設けられていることを特徴とする請求項６に記載のコネクタ。
【発明の詳細な説明】
【技術分野】
【０００１】
本発明は、基板等の被取付部材に取り付けられるベースコネクタと、このベースコネクタに着脱自在に接続される相手方のコンタクトとを有するコネクタに関し、詳しくは、相手方のコンタクトが接続された際にベースコネクタ内でロックされるとともに、このロックを解除する構成を備えたコネクタに関する。
【背景技術】
【０００２】
例えば、プラグと容易に接続及び接続の解除ができるコネクタの発明が下記特許文献１に開示されている。下記特許文献１に開示されたコネクタの発明は、プラグが挿入される開口を有するコネクタハウジングと、コネクタハウジングに収容されたジョイント端子と、ジョイント端子に収容され、挿入されたプラグの外周面と接触する接触子とを備え、接触子は、プラグの外周面と接触する複数のばね部を有し、ばね部の一方の端部は前記接触子に接続されており、他方の端部は自由端であることを特徴としている。また、下記特許文献１のコネクタでは、プラグとコネクタの接続を解除する構成として、プラグのロック溝と係合するロック部材と、ロック部材を可動させるロックレバーと、ロックレバーを付勢する弾性部材とを備えているとしている。このような構成とすることで、下記特許文献１に開示されたコネクタの発明によれば、プラグをコネクタに挿入するのみで、両者を容易に接続することができるとし、また、ロックレバーを操作することで接続を解除することができるとしている。
【先行技術文献】
【特許文献】
【０００３】
【特許文献１】特開平１０−３０２８６８号公報
【発明の概要】
【発明が解決しようとする課題】
【０００４】
上記特許文献１に開示されたコネクタでは、プラグとコネクタの接続を解除するために、コネクタにロックレバー等の構成を備えている。そのため、上記特許文献１に開示されたコネクタでは、部品点数が多くなり、製造コストが増大したり、コネクタが大型化したりする課題があり、さらに、コネクタの組み立て工程が複雑になるという課題もある。
【０００５】
本発明の目的は、相手方のコンタクトとベースコネクタとのロック及びロックを解除するための構成を、ロックレバー等の複雑な構成を用いる場合と比べて、部品点数及び組立工数を削減したコネクタを提供することにある。
【課題を解決するための手段】
【０００６】
上記課題を解決するために、本発明の第１の態様のコネクタは、被取付部材に取り付けられるベースコネクタと、前記ベースコネクタに装着された第１コンタクトと接続される第２コンタクトと、を有するコネクタであって、
前記ベースコネクタは、前記第２コンタクトに接触される第１接触部を有する前記第１コンタクトと、前記第１コンタクトが装着されたハウジングと、前記ハウジングの前記被取付部材に取り付けられる側の反対側に前記第２コンタクトの抜き差し方向に移動できるように設けられた移動部材とを有し、
前記第１コンタクトの前記第１接触部には第１係止部が形成され、
前記第２コンタクトには第２係止部、および前記移動部材の移動により押圧されて移動される前記第２係止部が形成された可動片が形成され、
前記ベースコネクタに前記第２コンタクトが接続された場合、前記第１係止部と前記第２係止部が係止され、
前記第２コンタクトを前記ベースコネクタから取り外す場合、前記移動部材を移動させると、前記移動部材に押圧されることで前記可動片が移動され、前記可動片の移動により前記第２係止部が移動され、前記第１係止部と前記第２係止部との係止が解除されることを特徴とする。
【０００８】
また、第２の態様のコネクタは、第１の態様のコネクタにおいて、前記ハウジングの内部には、前記第２コンタクトが収容できる収容空間が形成され、前記ハウジングの前記移動部材が設けられる側には、前記ベースコネクタに前記第２コンタクトが接続された場合に、少なくとも前記第２コンタクトの前記可動片の前記移動部材に押圧される部分が配置できるように開口され、前記収容空間と繋がる上面開口部が形成されており、
前記移動部材が移動されることで、前記上面開口部に配置された前記可動片が押圧されることを特徴とする。
【０００９】
また、第３の態様のコネクタは、第２の態様のコネクタにおいて、前記上面開口部は、少なくとも前記可動片が配置できるように前記移動部材により塞がれており、
前記移動部材は、前記ハウジング側に段部を有しており、
前記移動部材が移動した場合、前記段部により前記可動片を押圧することを特徴とする。
【００１０】
また、第４の態様のコネクタは、第３の態様のコネクタにおいて、前記移動部材は、一方に薄肉部と、他方に厚肉部を有する板状体で形成されており、
前記薄肉部と前記厚肉部との境が前記段部となっていることを特徴とする。
【００１１】
また、第５の態様のコネクタは、第１〜第４のいずれかの態様のコネクタにおいて、前記ハウジングの前記移動部材が設けられる側には、前記移動部材が移動可能に設けられるスライド部を有し、
前記スライド部は、前記ハウジングの内側に向かって窪ませて形成されていることを特徴とする。
【００１２】
また、第６の態様のコネクタは、第１〜第５のいずれかの態様のコネクタにおいて、前記第２コンタクトは、一方に前記第１コンタクトが挿入される挿入口を有し、
前記可動片は、
前記第２コンタクトが前記ベースコネクタに接続された場合に、前記挿入口側から前記挿入口の反対側に向かって前記第１コンタクトの第１接触部の先端側が配置された位置を越える位置まで延設され、前記第２係止部が形成された延設部と、  前記延設部の前記挿入口と反対側の端部から前記移動部材が配置される側に向かって設けられた立設部と、を有し、
前記立設部の端部が前記移動部材に押圧されることを特徴とする。
【００１３】
また、第７の態様のコネクタは、第６の態様のコネクタにおいて、前記第２コンタクトは、前記挿入口が設けられた筒状体で形成された端子部を有し、
前記端子部の内側に、前記第１接触部と接触される第２接触部が形成され、
前記第２接触部は、前記筒状体の上側と下側にそれぞれ上側接触部と下側接触部とを有し、前記第１接触部が挟まれるように設けられ、
前記下側の第２接触部の中央部分に、前記可動片が形成されていることを特徴とする。
【発明の効果】
【００１４】
第１の態様のコネクタによれば、ベースコネクタの第１コンタクトに形成された第１係止部と第２コンタクトに形成された第２係止部を係止させてロック状態とすることができ、他の部品を用いる必要がないため、部品点数を削減することができる。また、第１の態様のコネクタによれば、第１コンタクトの第１係止部と第２コンタクトの第２係止部との係止の解除を、ハウジングに取り付けられた移動部材を移動させるだけで行なえるので、部品点数を削減できると共に、組立工数を削減することができる。
さらに、移動部材の移動により押圧される可動片に第２係止部を形成することで、第１係止部と第２係止部との係止の解除をより容易に行うことができる。
【００１６】
また、第２の態様のコネクタによれば、ハウジングの一部を開口して上面開口部を形成し、この上面開口部に可動片を配置する構成としたので、この可動片と移動部材が押圧するようにしたことで、簡単な構成とすることができ、また、ハウジングの開口させた部分に移動部材を設けているので、小型化を図ることができる。
【００１７】
また、第３の態様のコネクタによれば、移動部材に段部を設ける構成とするだけで可動片の押圧を行なえるので、より部品点数を削減することができる。
【００１８】
また、第４の態様のコネクタによれば、段部を有する移動部材を１つの部材で形成することができる。
【００１９】
また、第５の態様のコネクタによれば、スライドが設けられるスライド部がハウジングを窪ませて形成されているので、より小型化とすることができる。
【００２０】
また、第６の態様のコネクタによれば、可動片を第２コンタクトと一体に形成することができるので、より部品点数を減らすことができる。
【００２１】
また、第７の態様のコネクタによれば、第２コンタクトの構成をより小型にすることができる。
【図面の簡単な説明】
【００２２】
【図１】図１Ａは実施形態に係るコネクタの斜視図であり、図１Ｂはベースコネクタと第２コンタクトを取り外した接続前の状態を示した斜視図である。
【図２】実施形態に係るコネクタの分解斜視図である。
【図３】図３Ａはベースコネクタの一方から見た側面図であり、図３Ｂは正面図であり、図３Ｃは背面図であり、図３Ｄは平面図であり、図３Ｅは底面図である。
【図４】図４Ａは図３ＤのIVA−IVA線での断面図であり、図４Ｂは図３ＤのIVB−IVB線での断面図である。
【図５】図５Ａは第１コンタクトの一方から見た側面図であり、図５Ｂは正面図であり、図５Ｃは背面図であり、図５Ｄは平面図であり、図５Ｅは底面図である。
【図６】図６Ａはハウジングの一方から見た側面図であり、図６Ｂは正面図であり、図６Ｃは背面図であり、図６Ｄは平面図であり、図６Ｅは底面図である。
【図７】図７Ａはスライダの一方から見た側面図であり、図７Ｂは正面図であり、図７Ｃは背面図であり、図７Ｄは平面図であり、図７Ｅは底面図である。
【図８】図８Ａは電線を装着した状態の第２コンタクトの一方から見た側面図であり、図８Ｂは背面図であり、図８Ｃは正面図であり、図８Ｄは平面図であり、図８Ｅは底面図であり、図８Ｆは図８ＡのVIIIF−VIIIF線での断面図である。
【図９】図９Ａは実施形態のベースコネクタと第２コンタクトの接続前の状態を示した平面図であり、図９Ｂは図９ＡのIXB−IXB線での断面図であり、図９Ｃは図９ＡのIXC−IXC線での断面図である。
【図１０】図１０Ａはベースコネクタに第２コンタクトを接続する途中の状態を示した図９Ｂに対応する断面図であり、図１０Ｂは図９Ｃに対応する断面図である。
【図１１】図１１Ａはベースコネクタに第２コンタクトを接続した状態を示した図９Ｂに対応する断面図であり、図１１Ｂは図１０Ｃに対応する断面図である。
【図１２】図１２Ａはコネクタのスライダを移動させた状態を示した斜視図であり、図１２Ｂはスライドを移動させたベースコネクタから第２コンタクトを取り外した状態を示した斜視図である。
【図１３】図１３Ａはベースコネクタから第２コンタクトを取り外す途中の状態を示した図９Ｂに対応する断面図であり、図１３Ｂは図９Ｃに対応する断面図である。
【図１４】図１４Ａはベースコネクタから第２コンタクトを取り外すことができる状態を示した図９Ｂに対応する断面図であり、図１４Ｂは図９Ｃに対応する断面図である。
【発明を実施するための形態】
【００２３】
以下、図面を参照して本発明の実施形態を説明する。但し、以下に示す実施形態は、本発明の技術思想を具体化するためのコネクタを例示するものであって、本発明をこれに特定することを意図するものではなく、特許請求の範囲に含まれるその他の実施形態のものにも等しく適応し得るものである。
【００２４】
［実施形態］
本発明の実施形態に係るコネクタ１０について、図１〜図１４を参照して説明する。コネクタ１０は、図１に示すように、被取付部材としての、例えば、基板（図示省略）に取り付けられるベースコネクタ１１と、ベースコネクタ１１に挿入されて接続される、電線７０が装着された相手方のコンタクトとしての第２コンタクト５６とで構成されている。
【００２５】
ベースコネクタ１１は、図１〜図４に示すように、第１コンタクト１２と、第１コンタクト１２が装着されたハウジング１７と、ハウジング１７の基板に載置される側と反対側の面に取り付けられた移動部材としてのスライダ３９と、ベースコネクタ１１の基板への取り付けを補強する取付部材５４とで構成されている。そして、ベースコネクタ１１のハウジング１７内に第２コンタクト５６を挿入することで、第１コンタクト１２と接触され、接続されるようになる。
【００２６】
このとき、第２コンタクト５６は、ベースコネクタ１１に着脱自在となっており、また、ベースコネクタ１１は、第２コンタクト５６の着脱する際にロック及びこのロックを解除できる構成を有している。以下、各構成について説明する。
【００２７】
第１コンタクト１２は、図４及び図５に示すように、金属性の板体を屈曲させてＬ字状となるように形成されている。第１コンタクト１２の一方側は基板と接続されて固定される接続部１３となっており、他方側は第２コンタクト５６と接触される第１接触部１４となっている。
【００２８】
接続部１３は、基板に接続される部分が２つに分かれて形成されており、例えば、基板に形成した穴に挿入されて、はんだにより取り付けられる部分となる。なお、接続部１３は、２つに限らず、１つでもよく、また、３つ以上でもよい。
【００２９】
第１接触部１４は、所定の幅を有する平らな板状体で形成されている。第１接触部１４の長手方向の中心線に沿った一部には、第１係止部１５が形成されている。なお、実施形態では、第１係止部１５は孔状となっている。また、第１コンタクト１２の第１接触部１４の接続部１３側の両側には、ハウジング１７に装着される際に嵌め入れられる嵌入部１６がそれぞれ第１接触部１４より幅広くなるように形成されている。さらに、第１接触部１４の接続部１３とは反対側の端部側は、テーパーが形成されており、ハウジング１７の装着部２４への挿入、及び第２コンタクト５６との接触を円滑に行なうことができるようになっている。
【００３０】
ハウジング１７は、図２、図４及び図６に示すように、樹脂材料で直方体状に形成されており、基板に載置される底面１８と、底面１８と対向する上面１９と、第２コンタクト５６が挿入される側の前面２０と、第１コンタクト１２が装着される側の背面２１と、一方の側面２２及び他方の側面２３とを有している。また、ハウジング１７の内部には、第１コンタクト１２が装着される装着部２４と第２コンタクト５６が収容される収容空間２５とが形成されている。
【００３１】
底面１８は、基板に載置される側の面であり、平面で形成されている。
【００３２】
上面１９は、スライダ３９が取り付けられる面となっており、平面で形成された部分と、この平面よりハウジング１７の内側に窪ませたスライド部２６が形成されている。このスライド部２６は、スライダ３９が第２コンタクト５６の抜き差しされる方向に反復して移動できるように形成されている。このとき、スライド部２６の窪みは、上面１９の平坦な部分から、スライダ３９が嵌る程度の深さとなっている。
【００３３】
また、このスライド部２６には、ハウジング１７の収容空間２５と繋がる上面開口部２７が形成されている。この上面開口部２７は、実施形態では、ハウジング１７の略中央部分であって長手方向に沿って形成されている。
【００３４】
また、スライド部２６の前面２０側には、取り付けられたスライダ３９の移動を規制する規制突起２８が突出して形成されている。この規制突起２８は、スライダ３９が背面２１側方向に抜けることを抑制する部分となる。
【００３５】
また、スライド部２６の背面２１側には、山状となった凸部２９が形成されている。この凸部２９は、凸部２９以外の部分が低く形成されることで山状となっている。
【００３６】
また、スライド部２６の一方の側面２２側及び他方の側面２３側の両側に凹状に形成された案内溝３０がそれぞれ形成されている。さらに、スライド部２６の長手方向において、凸部２９と重ならない位置に、嵌合突起３１が形成されている。この案内溝３０及び嵌合突起３１により、スライダ３９の移動が案内される。
【００３７】
なお、スライド部２６は、規制突起２８が形成された部分に比べ、凸部２９、案内溝３０及び嵌合突起３１が形成された部分の方の高さが低くなるように形成されている。
【００３８】
また、ハウジング１７の上面１９の前面２０側の一方の側面２２側及び他方の側面２３側には、取付部材５４が挿通される挿通孔３２が、底面１８まで達するようにそれぞれ形成されている。このとき上面１９の挿通孔３２が形成される部分は、他の上面１９の部分より低く形成されており、この部分は前面２０に至るまで形成されている。
【００３９】
前面２０には、第２コンタクト５６が抜き差しされる前面開口部３３が形成されており、この前面開口部３３は、ハウジング１７の内部の収容空間２５に繋がっている。また、前面開口部３３の周囲には、前面開口部３３の内側に向かうように張り出した部分３４が形成されている。
【００４０】
背面２１には、第１コンタクト１２が装着される装着口３５が形成されており、この装着口３５は、ハウジング１７の内部の装着部２４に繋がっている。装着口３５は、ハウジング１７の幅方向に長くなるような扁平な開口なっている。
【００４１】
また、ハウジング１７の内部の収容空間２５は、第２コンタクト５６が収容される空間となっている。収容空間２５は、内部に前面開口部３３の大きさに比べ狭くなる狭空間部３６を有している。狭空間部３６は、収容空間２５の上面１９側及び底面１８側が隆起することで形成されている。この隆起は、上面１９側が上面開口部２７に至るまで続き、底面１８側は、背面２１の内側に至るまで続いている。なお、狭空間部３６の上面１９側には中央部分に長手方向に沿って上側逃げ溝３７が形成され、また、底面１８側には、長手方向の中央部分に、底側逃げ溝３８が形成されている。
【００４２】
また、装着部２４は、長手方向に対して、所定の長さに亘って肉厚となっており、この肉厚の部分に第１コンタクト１２が装着される扁平な溝で形成されている。この装着部２４は、第１コンタクト１２の第１接触部１４が挿通される部分と、第１コンタクト１２の嵌入部１６が装着される部分とで、溝の幅が異なるように形成されている。このとき、装着部２４の溝は、第１接触部１４が装着される部分が狭くなり、第１コンタクト１２の嵌入部１６が引っ掛かることで、第１コンタクト１２を装着部２４の規定の位置に装着させることができる。
【００４３】
スライダ３９は、図４及び図７に示すように、ハウジング１７の上面１９に移動可能に設けられる樹脂製の板体であり、一方側の薄肉部４０と他方側の厚肉部４１とで構成され、段差を有するように形成されている。スライダ３９は、ハウジング１７に取り付けられる側の底部４２と、底部４２と反対側の上部４３と、薄肉部４０側の端部の前部４４と、厚肉部４１の端部の後部４５と、一方の側部４６及び他方の側部４７とで構成されている。スライダ３９の薄肉部４０と厚肉部４１は、上部４３側が平坦となるように繋がれ、底部４２側の薄肉部４０と厚肉部４１とが繋がれた部分に高さの異なる段部４８が形成されるようになっている。
【００４４】
また、スライダ３９の一方及び他方の側部４６、４７には、厚肉部４１の長手方向に沿って延設された凸状の案内突起４９がそれぞれ形成されている。この案内突起４９は、ハウジング１７にそれぞれ形成された案内溝３０と嵌り合うことで、スライダ３９の移動が案内される。さらに、スライダ３９の厚肉部４１側の底部４２には、中央部分から外れた位置に長手方向に沿った嵌合溝５０が形成されている。この嵌合溝５０は、ハウジング１７に形成された嵌合突起３１と嵌り合う部分となり、嵌合突起３１と嵌合溝５０が嵌り合うことでスライダ３９の移動がずれることなく行なえるようになる。
【００４５】
また、スライダ３９の厚肉部４１の底部４２の後部４５側には、突起部５１が形成されている。この突起部５１は、ハウジング１７のスライド部２６に形成された凸部２９と対応するように中央部分に形成されている。
【００４６】
また、スライダ３９の薄肉部４０の底部４２には、溝部５２が形成されると共に、この溝部５２の前部４４側の端部に壁部５３が形成されている。この溝部５２は、ハウジング１７に形成された規制突起２８が嵌め入れられて移動する部分となり、溝部５２に形成された壁部５３に規制突起２８が突き当たり、スライダ３９の移動が規制されるようになる。なお、溝部５２は、規制突起２８と対応するように２つの溝が形成されている。
【００４７】
取付部材５４は、図２に示すように、基板へ固定される取付部５５側が二股となった板状体で形成されており、ハウジング１７の上面に形成された挿通孔３２から底面に挿通されて、取付部５５により基板に固定されるものである。この取付部材５４は、ハウジング１７の前面２０側に設けられるようになっている。なお、ハウジング１７の背面２１側は、第１コンタクト１２により基板に固定される。
【００４８】
次に、図２〜図４を参照して、ベースコネクタ１１の組み立てについて説明する。ベースコネクタ１１の組み立ては、ハウジング１７の背面２１の装着口３５から第１コンタクト１２を第１接触部１４側から挿入し、第１コンタクト１２をハウジング１７の装着部２４に装着させる。
【００４９】
次に、ハウジング１７の背面２１側からスライダ３９を取り付ける。このとき、スライダ３９の両側部４６、４７の案内突起４９をハウジング１７のスライド部２６に形成された案内溝３０に嵌め込むように行うと共に、スライド部２６の嵌合突起３１にスライダ３９の嵌合溝５０が嵌るようにする。
【００５０】
さらに、スライド部２６に沿ってスライダ３９を押し込み、スライダ３９の底部４２の溝部５２の端部の壁部５３が、スライド部２６に形成された規制突起２８を越える位置まで押し込むことで、スライダ３９がハウジング１７へ取り付けられる。このとき、溝部５２の端部の壁部５３が規制突起２８と当接するようになり、スライダ３９が抜けることを抑制している。このとき、ハウジング１７の規制突起２８とスライダ３９の溝部５２の壁部５３及び、ハウジング１７の凸部２９とスライダ３９の突起部５１とがそれぞれ当接することで、スライダ３９の移動が抑制されている。また、ハウジング１７にスライダ３９が取り付けられることで、ハウジング１７に形成された上面開口部２７がスライダ３９により塞がれるようになる。
【００５１】
第２コンタクト５６は、図１及び図８に示すように、ベースコネクタ１１に接続される相手方のコンタクトであり、一方に第１コンタクト１２と接触される端子部５７と、他方に電線７０と接続される電線装着部５８とを有しており、金属性の板体を抜き打ち及び折り曲げ等により一体に形成されている。
【００５２】
端子部５７は、一方側の端部に第１コンタクト１２の第１接触部１４が挿入される挿入口５９を有する筒状体６０で形成されており、ハウジング１７の前面開口部３３に挿入できる大きさ及び形状であって収容空間２５に収容できるように形成されている。
【００５３】
筒状体６０の内側には、挿入された第１コンタクト１２と接触する第２接触部６１が形成されている。第２接触部６１は、筒状体６０の内側の上側に設けられた弾性変形できるように形成された上側接触部６２と、下側に設けられた端子部５７の一部が隆起して形成された下側接触部６３とで構成されている。
【００５４】
上側接触部６２は、板状体を屈曲させて、弾性変形できるように形成されている。そのため、上側接触部６２は、第１コンタクト１２が挿入された際に、上方へ移動されるようになると共に、上方へ移動されることで弾性力を有するようになり、下方へ押圧するように形成されている。実施形態では、上側接触部６２は、中央部に隙間を有するように２つの片で形成されている。
【００５５】
下側接触部６３は、端子部５７の一部が内側に隆起した丘状に形成されている。また、下側接触部６３の中央部分には、挿入口５９側を支点に弾性変形される可動片６４が形成されている。そのため、下側接触部６３は、この可動片６４を挟んだ両側に形成されている。
【００５６】
可動片６４は、下側接触部６３に挟まれるように筒状体６０の底部４２の中央部に形成されており、底部４２側が第２コンタクト５６の長手方向に沿って延設された延設部６５と、延設部６５の端部から上部４３側に向かうように形成された立設部６６とを有し、この立設部６６の端部がスライダにより押圧される押圧部６７となっている。
【００５７】
延設部６５は、挿入口５９側が固定され、この固定された側が下側接触部６３と略同じように筒状体６０の内側に隆起している。また、延設部６５には、中央部分に第２係止部６８が形成されており、第２係止部６８は、第１コンタクト１２の第１係止部１５と対応する位置に形成されている。なお、実施形態の第２係止部６８は、孔状の第１係止部１５に係止される形状、例えば、一方が傾斜して突出した突起状に形成されている。
【００５８】
また、立設部６６は、延設部６５が上側接触部６２を越えた部分から上部４３側に屈曲して、さらに延設されている。立設部６６の端部は、端子部５７の筒状体６０を越える位置まで形成されている。
【００５９】
また、電線装着部５８は、複数の圧着片６９を有し、この圧着片６９を折り曲げることで電線７０が圧着され、固定される。
【００６０】
次に、図１、図９〜図１１を参照して、実施形態のコネクタ１０のベースコネクタ１１と第２コンタクト５６の接続について説明する。
【００６１】
まず、図１Ｂ及び図９に示すように、ベースコネクタ１１に接続される第２コンタクト５６を、ベースコネクタ１１のハウジング１７に形成された前面開口部３３に対して正しい向きとなるように配置する。ベースコネクタ１１は、ハウジング１７の底面１８を基板（図示省略）側にして設置されており、ハウジング１７の装着部２４に装着された第１コンタクト１２の接続部１３、及びハウジング１７の挿通孔３２を挿通された取付部材５４により基板に取り付けられる。このとき、第２コンタクト５６は、端子部５７をハウジング１７の前面開口部３３側に向け、端子部５７の可動片６４の立設部６６が上側を向くように配置される。
【００６２】
次に、第２コンタクト５６をベースコネクタ１１に挿入する。この挿入は、図１０に示すように、ハウジング１７の前面２０に形成された前面開口部３３に第２コンタクト５６の端子部５７から挿入させる。このとき、前面開口部３３には、一部に張り出した部分３４が形成されていることで、第２コンタクト５６が正しくない向きでは挿入することができないようになっている（図１参照）。
【００６３】
第２コンタクト５６を挿入したのち、第２コンタクト５６をハウジング１７の収容空間２５に押し込む。しばらくすると、収容空間２５の一部が狭く形成されている狭空間部３６に到達し、この狭空間部３６の上下から隆起して形成された部分に第２コンタクトの端子部５７が挟まれるようにして押し込まれるようになる。その際に、ハウジング１７の収容空間２５の上側に形成された上側逃げ溝３７に、第２コンタクト５６の可動片６４の立設部６６及びその先端の押圧部６７が嵌り込むようにして移動する。
【００６４】
さらに、第２コンタクト５６を収容空間２５の奥側、すなわち背面２１の内側へ押し込むと、第２コンタクト５６の端子部５７と第１コンタクト１２が接触するようになる。この接触は、まず、第１コンタクト１２の第１接触部１４側が第２コンタクト５６の筒状体６０の挿入口５９に挿入され、第１コンタクト１２の第１接触部１４の端部が第２コンタクト５６の上側接触部６２及び下側接触部６３と接触する。
【００６５】
さらに第２コンタクト５６を押し込むと、第１コンタクト１２の端部により上側接触部６２が変形し、上方へ移動される。その後、上側接触部６２と下側接触部６３が第１コンタクト１２の第１接触部１４の両面を摺りながら移動し、第１コンタクト１２の第１接触部１４の底側と第２コンタクト５６の可動片６４に形成された第２係止部６８が接する。
【００６６】
そして、第２コンタクト５６をさらに押し込むと、突出して形成された第２係止部６８が、第１コンタクト１２の端部により下方に押されることで、第２係止部６８が形成された延設部６５と共に可動片６４が挿入口５９側を支点として、下方に移動される。このとき、下方に移動した可動片６４はハウジング１７の底側逃げ溝３８に嵌り込むようになる。
【００６７】
さらに、第２コンタクト５６を押し込み、第２コンタクト５６の端子部５７の端部が、ハウジング１７の収容空間２５の最奥、すなわち、背面２１の内側と接する位置に達すると、図１１に示すように、突出した突起状に形成された第２係止部６８が、孔状に形成された第１係止部１５に嵌り込み、第１係止部１５と第２係止部６８の係止が行なわれると共に、可動片６４がもとの位置にもどり、ロックされた状態となる。このとき、可動片６４の立設部６６及び立設部６６の端部の押圧部６７は、ハウジング１７の上面開口部２７が形成された位置に配置されるようになる（図１Ａ参照）。
【００６８】
次に、図１２〜図１４を参照して、ベースコネクタ１１から、第２コンタクト５６を取り外す場合について説明する。ベースコネクタ１１から第２コンタクト５６を取り外す場合は、図１２Ａに示すように、ベースコネクタ１１に第２コンタクト５６が接続された状態から、スライダ３９を第２コンタクト５６を抜き取る方向に向かって移動させる。そして、スライダ３９を移動させることで、第１コンタクト１２の第１係止部１５と第２コンタクト５６の第２係止部６８との係止の解除を行なう。
【００６９】
この解除は、まず、図１３に示すように、スライダ３９をハウジング１７の前面２０側に向かうように移動させる。スライダ３９が移動されることで、まず、スライダ３９の底部４２の薄肉部４０と厚肉部４１との段部４８が、上面開口部２７に配置された第２コンタクト５６の可動片６４の押圧部６７と当接し、さらにスライダ３９が移動されることで、この段部４８により押圧部６７が押圧され、可動片６４が下方に移動される。
【００７０】
さらにスライダ３９が移動されると、図１４に示すように、移動したスライダ３９の厚肉部４１の底部４２により押圧部６７が押され続けるようになり、可動片６４は、下方に移動した状態で維持されるようになる。そして、可動片６４が下方に移動することで、可動片６４の延設部６５に形成された第２係止部６８も下方に移動され、第１コンタクト１２の第１係止部１５との係止が解除されるようになる。
【００７１】
このとき、スライダ３９の後部４５側に形成された突起部５１が、ハウジング１７のスライド部２６に形成された凸部２９を越えて移動し、凸部２９を越えた位置に配置されるようになる。このようにすることで、外力が加わらない限り、スライダ３９がもとの位置に戻ることを抑制することができる。さらに、突起部５１が凸部２９を越えるときに、振動や音を発することで、作業者が、スライダの移動を認識することができる。
【００７２】
このスライダ３９の移動は、ハウジング１７のスライド部２６に形成された規制突起２８に沿ってスライダ３９の薄肉部４０の底部４２に形成された溝部５２が移動する。さらに、ハウジング１７に形成させた案内溝３０に沿ってスライダ３９の両側部４６、４７に形成された案内突起４９が移動し、また、ハウジング１７のスライド部２６の嵌合突起３１がスライダ３９の底部４２の嵌合溝５０を移動するようになる。
【００７３】
そして、第１コンタクト１２の第１係止部１５と第２コンタクト５６の第２係止部６８の係止が解除された後、図１２Ｂに示すように、第２コンタクト５６を引き抜くことで、ベースコネクタ１１から第２コンタクト５６を取り外すことができるようになる。
【００７４】
また、第２コンタクト５６をベースコネクタ１１から取り外した後、スライダ３９を図１２Ｂに示す位置から、ハウジング１７の背面２１側に移動させ、図１Ｂに示す基の位置に戻すことで、スライダ３９により塞がれていたハウジング１７の上面開口部２７が開口されるため、再度、第２コンタクト５６を接続させることができるようになる。このとき、ハウジング１７のスライド部２６の凸部２９をスライダ３９の突起部５１が越える際に、振動及び音を発することで、作業者がスライダの移動を認識することができる。
【００７５】
なお、実施形態では、第１係止部を孔状とし、第２係止部を突出した突起状としたが、これに限らず、第１係止部を孔状とし、第２係止部と突出した突起状としてもよい。また、第１係止部と第２係止部の両方を突出した突起状としてもよい。
【符号の説明】
【００７６】
１０：コネクタ  １１：ベースコネクタ  １２：第１コンタクト  １３：接続部  １４：第１接触部  １５：第１係止部  １６：嵌入部  １７：ハウジング  １８：底面  １９：上面  ２０：前面  ２１：背面  ２２：一方の側面  ２３：他方の側面  ２４：装着部  ２５：収容空間  ２６：スライド部  ２７：上面開口部  ２８：規制突起  ２９：凸部  ３０：案内溝  ３１：嵌合突起  ３２：挿通孔  ３３：前面開口部  ３４：張り出した部分  ３５：装着口  ３６：狭空間部  ３７：上側逃げ溝  ３８：底側逃げ溝  ３９：スライダ（移動部材）  ４０：薄肉部  ４１：厚肉部  ４２：底部  ４３：上部  ４４：前部  ４５：後部  ４６：一方の側部  ４７：他方の側部  ４８：段部  ４９：案内突起  ５０：嵌合溝  ５１：突起部  ５２：溝部  ５３：壁部  ５４：取付部材  ５５：取付部  ５６：第２コンタクト  ５７：端子部  ５８：電線装着部  ５９：挿入口  ６０：筒状体  ６１：第２接触部  ６２：上側接触部  ６３：下側接触部  ６４：可動片  ６５：延設部  ６６：立設部  ６７：押圧部  ６８：第２係止部  ６９：圧着片  ７０：電線  
【図１】
0006319767.tif 000002
【図２】
0006319767.tif 000003
【図３】
0006319767.tif 000004
【図４】
0006319767.tif 000005
【図５】
0006319767.tif 000006
【図６】
0006319767.tif 000007
【図７】
0006319767.tif 000008
【図８】
0006319767.tif 000009
【図９】
0006319767.tif 000010
【図１０】
0006319767.tif 000011
【図１１】
0006319767.tif 000012
【図１２】
0006319767.tif 000013
【図１３】
0006319767.tif 000014
【図１４】
0006319767.tif 000015